(57)【要約】【課題】溢れ火の着火の危険性を未然に防止し得る人感センサー付きコンロを提供する。【解決手段】コンロ１内部のグリルバーナ３、コンロ１上面のコンロバーナ７は、それぞれガス量調節弁３Ｘ、７Ｘが組み込まれたガス供給管に接続されている。コンロ１奥側のグリル排気口２の手前面左右には、人感センサー１５、１６が設けられている。人感センサー１５、１６により人の腕や手が五徳９Ａ、９Ｂ、９Ｃの近くに接近したときや、人の着ている衣類の表面温度上昇が検知された場合には、制御部２０からの制御信号により、コンロバーナ７、グリルバーナ３の火力を絞るか又は消火することができる。そのため、調理者の腕や手、衣類等がコンロバーナ７からの溢れ火に近づいたとしても、火傷を負ったり衣類が焦げたりする危険性を未然に防止し得る。【選択図】      図３
2004293953.tif 000002
【特許請求の範囲】
【請求項１】
バーナと、
該バーナの火力調節手段と、
該バーナの火口を囲むように配置されている五徳と、
人体が近接したことを検知する人感センサーと、
該人感センサーから信号を受けるとともに前記各部を制御する制御部と、
を具備し、
前記人感センサーが人体の近接を検知した場合に、前記火力調節手段が前記バーナの火力を絞るか又は消火することを特徴とする人感センサー付きコンロ。
【請求項２】
前記人感センサーが人体が前記五徳の近くに接近したことを検知し、該センサーがグリル排気口の手前側に設けられていることを特徴とする請求項１記載の人感センサー付きコンロ。
【請求項３】
前記人感センサーが人の着ている衣類の表面温度上昇を検知し、該センサーの検知に基づき前記衣類が着火する前に前記バーナの火力を絞るか又は消火することを特徴とする請求項１又は２記載の人感センサー付きコンロ。
【請求項４】
前記人感センサーの機能を強制的に解除する強制解除スイッチが設けられていることを特徴とする請求項１、２又は３記載の人感センサー付きコンロ。
【発明の詳細な説明】
【０００１】
【発明の属する技術分野】
本発明は、人体が近接したことを検知する人感センサーを備えるコンロに関する。特には、溢れ火の着火の危険性を未然に防止し得る人感センサー付きコンロに関する。
【０００２】
【従来の技術】
従来より一般家庭等で使用されている典型的なガスコンロは、バーナや、その火力を調節するレバー等の調節手段、バーナの火口を囲むように配置されている五徳等を備えている。ガスコンロを使用して調理を行う場合は、五徳上に載せた鍋やフライパン等をバーナで加熱する。この際、バーナの火力の強弱調節は、鍋やフライパンの大小にかかわらず、各調理者が好みや調理状況に応じてレバー等を操作することで行っている。
【０００３】
【発明が解決しようとする課題】
ところで、前記の典型的なガスコンロにおいては、調理時に比較的小さい鍋やフライパン等を使用し、バーナを強火力とした場合、鍋やフライパン等の周りから大きな溢れ火が生じる。このような状態で、調理者の不注意で腕や衣類等がバーナに近づくと、溢れ火が着火して火傷を負ったり衣類が焦げたりするおそれがある。そこで、このような溢れ火の着火の危険性を未然に防止し得る機能をもったコンロが求められている。
【０００４】
本発明は、前記の課題に鑑みてなされたものであって、溢れ火の着火の危険性を未然に防止し得る人感センサー付きコンロを提供することを目的とする。
【０００５】
【課題を解決するための手段】
前記の課題を解決するため、本発明の人感センサー付きコンロは、バーナと、該バーナの火力調節手段と、  該バーナの火口を囲むように配置されている五徳と、  人体が近接したことを検知する人感センサーと、  該人感センサーから信号を受けるとともに前記各部を制御する制御部と、を具備し、  前記人感センサーが人体の近接を検知した場合に、前記火力調節手段が前記バーナの火力を絞るか又は消火することを特徴とする。
【０００６】
本発明によれば、人感センサーが人体の近接を検知した場合に、火力調節手段がバーナの火力を絞るか又は消火する。そのため、調理者の腕や手、衣類等がバーナからの溢れ火に近づいたとしても、火傷を負ったり衣類が焦げたりする危険性を未然に防止し得る。
【０００７】
本発明の人感センサー付きコンロにおいては、前記人感センサーが人体が前記五徳の近くに接近したことを検知し、該センサーがグリル排気口の手前側に設けられていることができる。
この場合、グリル排気口の手前側の人感センサーで、調理中の人の腕や手が五徳上の鍋やフライパン等に接近したことを検知できるので、火傷を負ったり衣類が焦げたりする危険性をより確実に回避し得る。なお、センサーの検知を人に報知する手段としては、ブザーを鳴らしたりランプを点滅させたりする等がある。
【０００８】
本発明の人感センサー付きコンロにおいては、前記人感センサーが人の着ている衣類の表面温度上昇を検知し、該センサーの検知に基づき前記衣類が着火する前に前記バーナの火力を絞るか又は消火することができる。
この場合、衣類の表面温度が低い状態では調理を続行できる。そして、衣類の表面温度上昇が検出された場合は、衣類が着火する前にバーナの火力を絞るか又は消火するので、前述と同様に火傷を負ったり衣類が焦げたりする危険性を未然に防止できる。
【０００９】
本発明の人感センサー付きコンロにおいては、前記人感センサーの機能を強制的に解除する強制解除スイッチが設けられていることができる。
例えば、炒り物を調理する場合等は、調理の性質上、五徳の上の鍋やフライパン等に人の手が近接する。このような場合は、強制解除スイッチで人感センサーをＯＦＦ状態とすることで、通常と同じく調理を遂行できる。
【００１０】
【発明の実施の形態】
以下、図面を参照しつつ説明する。
図１は、本発明の一実施の形態に係る人感センサー付きコンロを模式的に示す外観図である。
図２は、同人感センサー付きコンロの模式的な側面断面図である。
図３は、同人感センサー付きコンロの制御ブロック図である。
【００１１】
本実施の形態のコンロ１は、コンロキャビネット１０（図２参照）上に配置されている。図２に示すように、このコンロ１の内部には、グリルバーナ３やグリル網５が設けられている。このグリルバーナ３は、ガス量調節弁３Ｘ（図３参照）が組み込まれたガス供給管に接続されている。図１に示すように、コンロ１の上面には、この例では３つ（左右及び奥）のコンロバーナ７（７Ａ、７Ｂ、７Ｃ）が設けられている。各コンロバーナ７の周りには、五徳９（９Ａ、９Ｂ、９Ｃ）がそれぞれ配置されている。コンロバーナ７は、ガス量調節弁７Ｘ（図３参照）が組み込まれたガス供給管に接続されている。
【００１２】
図１に示すように、コンロ１の前面には、各コンロバーナ７Ａ、７Ｂ、７Ｃのそれぞれの火力を調節するバーナ火力調節部１１（１１Ａ、１１Ｂ、１１Ｃ）や、グリルバーナ３の火力を調節するグリル火力調節部１３が設けられている。バーナ火力調節部１１は、コンロバーナ７へと繋がるガス供給管中のガス量調節弁７Ｘ（図３参照）に接続されている。グリル火力調節部１３は、グリルバーナ３へと繋がるガス供給管中のガス量調節弁３Ｘ（図３参照）に接続されている。これら火力調節部１１、１３を操作することで、コンロバーナ７、グリルバーナ３の火力の強弱を調節できる。
【００１３】
図１及び図２に示すように、コンロ１上面の奥側には、グリル排気口２が設けられている。グリル排気口２の上端は、コンロ１上面よりも高くなっている。グリル排気口２の手前面左右には、人感センサー１５、１６が設けられている。これらの人感センサー１５、１６は、例えば赤外線センサーからなる。人感センサー１５、１６は、人の手が五徳９Ａ、９Ｂ、９Ｃの近くに接近したことを検知する機能や、人の着ている衣類の表面温度上昇を検知する機能を有する。この例では、人感センサー１５、１６が左右に２つ設けられていることで、コンロ１の左右両側をそれぞれ監視できる。なお、人感センサーの個数は、１つあるいは３つ以上であってもよい。
【００１４】
前述のガス量調節弁３Ｘ、７Ｘ、人感センサー１５、１６は、制御部２０に接続されている。図３に示すように、この制御部２０は、人感センサー１５、１６の検知結果に基づき、ガス量調節弁３Ｘ、７Ｘの開度を絞るか又は遮断する制御信号を送る。ガス量調節弁３Ｘ、７Ｘの開度を絞るか又は遮断することで、コンロバーナ７、グリルバーナ３の火力の絞り又は消火が行われる。さらに、人感センサー１５、１６には、その機能を強制的に解除する強制解除スイッチ１７が接続されている。この強制解除スイッチ１７をＯＮとすることで、人感センサー１５、１６の検知機能が停止される。この場合、コンロバーナ７、グリルバーナ３の火力調節は、火力調節部１１、１３（図１及び図２参照）の人手による操作でのみ可能となる。
【００１５】
このようなコンロ１は、人感センサー１５、１６により人の腕や手が五徳９Ａ、９Ｂ、９Ｃの近くに接近したときや、人の着ている衣類の表面温度上昇が検知された場合には、コンロバーナ７、グリルバーナ３の火力を絞るか又は消火することができる。そのため、調理者の腕や手、衣類等がコンロバーナ７からの溢れ火に近づいたとしても、火傷を負ったり衣類が焦げたりする危険性を未然に防止し得る。
【００１６】
なお、人感センサー１５、１６の検知する人の衣類の表面温度が低い状態では、通常と同じく調理を続行できる。あるいは、炒り物を調理する場合等は、調理の性質上、五徳９Ａ、９Ｂ、９Ｃの上に載せた鍋やフライパン等に人の手が近接する。このような場合は、強制解除スイッチ１７をＯＮとして人感センサー１５、１６の機能を停止し、火力調節部１１、１３を操作して弱火にしながら調理を行うようにするとよい。
【００１７】
【発明の効果】
以上の説明から明らかなように、本発明によれば、溢れ火の着火の危険性を未然に防止し得る人感センサー付きコンロを提供できる。
【図面の簡単な説明】
【図１】本発明の一実施の形態に係る人感センサー付きコンロを模式的に示す外観図である。
【図２】同人感センサー付きコンロの模式的な側面断面図である。
【図３】同人感センサー付きコンロの制御ブロック図である。
【符号の説明】
１  コンロ                                ２  グリル排気口
３  グリルバーナ                          ３Ｘ  ガス量調節弁
５  グリル網
７（７Ａ、７Ｂ、７Ｃ）  コンロバーナ      ７Ｘ  ガス量調節弁
９（９Ａ、９Ｂ、９Ｃ）  五徳              １０  コンロキャビネット
１１（１１Ａ、１１Ｂ、１１Ｃ）  バーナ火力調節部
１３  グリル火力調節部                    １５、１６  人感センサー
１７  強制解除スイッチ                    ２０  制御部
【図１】
2004293953.tif 000003
【図２】
2004293953.tif 000004
【図３】
2004293953.tif 000005